(57)【要約】【課題】携帯端末において、出力先の映像再生装置に対して適正な縮小率での映像信号の出力を行うことができるようにする。【解決手段】携帯端末１００は、内蔵するＴＶ出力処理部１１３から外部の映像再生装置へ映像信号を出力するに先だって、映像の外縁が分かる基準画像５０３を出力し、これが画面上に適正に表示されるように、映像の縮小率を設定する。これにより、映像の周囲が欠けるような映像再生装置（画面５０１）に対してであっても、映像全体を適正なサイズで表示させることができる（画面５０２）。映像の縮小率の調整は手動、自動のいずれによっても行える。【選択図】図５
2007282002.tif 000002
【特許請求の範囲】
【請求項１】
外部の映像再生装置へ映像信号を出力する手段と、
前記映像再生装置の有効表示領域に対して前記映像信号が適正なサイズで出力されているかを確認するための予め用意された基準画像を映像信号として出力する手段と、
前記基準画像を前記映像再生装置へ出力した結果に基づいて、前記映像再生装置へ出力する映像信号の映像サイズの縮小率を設定する手段と、
前記映像再生装置への映像信号の出力時に前記縮小率に基づいて当該映像を縮小する手段と
を備えたことを特徴とする携帯端末装置。
【請求項２】
出力先の映像再生装置毎に該当する前記縮小率を保存するデータテーブルを備えた請求項１記載の携帯端末装置。
【請求項３】
前記基準画像は前記映像再生装置へ出力する映像信号の有効表示領域を定める四角形の周縁の少なくとも４頂点に配置された特定色の画素を含む請求項１記載の携帯端末装置。
【請求項４】
前記映像再生装置の画面を撮影することができる撮影手段と、
前記基準画像を前記映像再生装置へ出力した状態で前記撮影手段により取得された前記映像再生装置の画面の撮影画像に前記基準画像の全体が含まれているかを判定する判定手段と、
前記映像再生装置の画面の撮影画像に前記基準画像の全体が含まれるまで前記映像信号の縮小率を単位量毎に低減していく自動調整手段と
を備えた請求項１記載の携帯端末装置。
【請求項５】
前記撮影手段により前記映像再生装置の画面を撮影する際に前記撮影手段のビューファインダーに前記基準画像の位置合わせをするための撮影ガイドを表示させる手段を備えた請求項４記載の携帯端末装置。
【請求項６】
携帯端末装置の現在位置を検出する位置検出手段と、
前記縮小率を設定する際に検出された現在位置情報を前記縮小率に対応づけて保存する記憶部と、
外部の映像再生装置へ映像信号を出力する際に現在位置を確認し、該当する現在位置情報が存在するか否かをチェックし、存在する場合にはその現在位置に対応づけられている縮小率を前記記憶部から読み出してその縮小率を前記映像信号の縮小率として設定する手段と
を備えた請求項１記載の携帯端末装置。
【発明の詳細な説明】
【技術分野】
【０００１】
本発明は、外部に映像信号を出力する機能を有する携帯端末装置に関する。
【背景技術】
【０００２】
従来、テレビジョン放送を受信するテレビ（ＴＶ）装置のような映像再生装置には、外部の映像源からの映像を入力して表示させるために、外部入力端子が備えられている。テレビ装置に画像をフルスクリーン表示する場合、外部からのＮＴＳＣやＰＡＬによるコンポジット映像信号の出力に基づく画像の最大サイズは、Standard Definition（以下、ＳＤという）のテレビ装置の場合、横×縦が７２０×４８０（ＮＴＳＣ）／７２０×５７５（ＰＡＬ）である。
【０００３】
しかし、実際のＳＤＴＶの画面には、出力画像（ＮＴＳＣ＝７２０×４８０／ＰＡＬ：７２０×５７５）の全画像領域が表示されるわけではなく、その出力画像中の実際に画面に表示される領域（以下、有効表示領域という）は、各メーカの製品毎に異なっている。
【０００４】
現在の機器は、出力画像の全体がテレビ装置の画面上に表示されず出力画像の上下や左右の端が多少画面外に切れてしまうことを容認しつつ上述のサイズで出力するか、上下や左右の画像が画面外に切れないよう、出力する画像を多少、上述のサイズよりも小さく縮小して出力するか、のいずれかの手段を採用している。
【０００５】
一方、画像信号を外部へ出力する出力端子を備えた携帯電話端末が提案されている（特許文献１参照）。
【特許文献１】特開２００５−１３０１７６号公報
【発明の開示】
【発明が解決しようとする課題】
【０００６】
上述のように、ＳＤＴＶに、外部機器から出力された画像を表示しようとするとき、出力先のテレビ装置によっては、出力した画像の本来有している情報の全てが表示されなくなる場合がある。これは、画面の端部に表示される文字（例えば字幕等）の全体や一部が欠落する場合に特に問題となる。
【０００７】
また、最初から出力画像を一定の縮小率で縮小している場合には、出力対象となるテレビ装置の有効表示画像領域を最大限に利用できないという問題がある。
【０００８】
本発明はこのような背景においてなされたものであり、携帯端末装置において、出力先の映像再生装置に対して適正な縮小率での映像信号の出力を行うことができるようにするものである。
【課題を解決するための手段】
【０００９】
本発明による携帯端末装置は、外部の映像再生装置へ映像信号を出力する手段と、前記映像再生装置の有効表示領域に対して前記映像信号が適正なサイズで出力されているかを確認するための予め用意された基準画像を映像信号として出力する手段と、前記基準画像を前記映像再生装置へ出力した結果に基づいて、前記映像再生装置へ出力する映像信号の映像サイズの縮小率を設定する手段と、前記映像再生装置への映像信号の出力時に前記縮小率に基づいて当該映像を縮小する手段とを備えたことを特徴とする。
【００１０】
この携帯端末は、外部の映像再生装置へ映像信号を出力するに先だって、基準画像を出力し、この基準画像が映像再生装置で再生表示される結果に基づいて、映像信号の出力時の縮小率を設定することにより、個々の映像再生装置に対して、適正なサイズで映像を出力することが可能となる。
【００１１】
縮小率の調整は手動、自動のいずれによっても行える。
【００１２】
手動の場合には、ユーザが基準画像の再生表示結果を確認しながら、逐次縮小率を変化させることにより、適正な縮小率を見つける。
【００１３】
自動の場合には、携帯端末は、さらに、前記映像再生装置の画面を撮影することができる撮影手段と、前記基準画像を前記映像再生装置へ出力した状態で前記撮影手段により取得された前記映像再生装置の画面の撮影画像に前記基準画像の全体が含まれているかを判定する判定手段と、前記映像再生装置の画面の撮影画像に前記基準画像の全体が含まれるまで前記映像信号の縮小率を単位量毎に低減していく自動調整手段を備える。
【００１４】
この場合、前記撮影手段により前記映像再生装置の画面を撮影する際に前記撮影手段のビューファインダーに前記基準画像の位置合わせをするための撮影ガイドを表示させるようにしてもよい。基準画像を認識する範囲をこの撮影ガイド内に限定することにより、基準画像の認識の確度を上げるとともに、処理時間の短縮化が図れる。
【発明の効果】
【００１５】
本発明の携帯端末によれば、有効表示領域の異なる映像再生装置に対して、適正な画像サイズで出力できるので、映像再生装置において表示画像内の情報の欠落を回避するとともに、映像再生装置の画面を有効に利用することができる。
【００１６】
また、位置情報と設定値を対応させて記憶することにより、一旦出力画像サイズ調整を行った映像再生装置に対しては、再度の調整の手間を省くことができる。
【発明を実施するための最良の形態】
【００１７】
以下、本発明の好適な実施の形態について、図面を参照しながら詳細に説明する。
【００１８】
図１は、本発明の携帯端末装置１００から映像再生装置としてのテレビ装置２００への映像信号の出力の様子を示している。（以下、端末装置を単に端末と呼ぶ。）本実施の形態における携帯端末１００は、テレビ放送受信機能付きの携帯電話端末を例として挙げている。また、この携帯端末１００は、位置検出手段を構成するＧＰＳ（Global Positioning System）制御部を有する。このＧＰＳ制御部は、複数のＧＰＳ衛星８０２（図では一つのみ示している）からの信号に基づいて携帯端末１００の現在の位置を検出する機能を有する。但し、位置検出手段は、本発明において必須の構成要素ではない。
【００１９】
携帯端末１００において、カメラ機能で撮影し記憶した静止画や動画像を、テレビ信号出力端子からケーブル１５０を介してテレビ装置２００の外部入力端子にテレビ信号（映像信号）として供給する。映像信号は、この例では、コンポジット映像信号を想定している。コンポジット映像信号は、テレビジョン映像を構成する輝度信号と色信号とを合成して同時に扱えるようにしたアナログの複合映像信号であり、通常、同期信号も一緒に複合化される。ケーブル１５０の代わりに無線インタフェースを用いてもよい。
【００２０】
図２に、図１内に示した携帯端末１００のハードウェア構成例を示す。
【００２１】
この携帯端末１００は、制御部１０１、通信部１０２、アンテナ１０３、表示部１０４、操作部１０５、メモリ１０６、カメラ部１０７、スピーカ１０８、マイク１０９、ＧＰＳ制御部１１０、ＧＰＳアンテナ１１１、ＴＶ出力処理部１１３、外部出力端子１１５を有する。制御ライン１２０は、制御部１０１、通信部１０２、アンテナ１０３、表示部１０４、操作部１０５、メモリ１０６、カメラ部１０７、ＧＰＳ制御部１１０、ＴＶ出力処理部１１３の各部を相互に接続している。データライン１２０は、スピーカ１０８、マイク１０９、ＧＰＳ制御部１１０、表示部１０４、メモリ１０６、ＴＶ出力処理部１１３、カメラ部１０７の各部を相互に接続している。
【００２２】
制御部１０１は、マイクロプロセッサ等を含み、携帯端末１００の全体の動作を制御する。
【００２３】
通信部１０２は、アンテナ１０３を介して基地局と無線インタフェースを介して接続され、通話および通信のための処理を行う。
【００２４】
表示部１０４は、ＬＣＤ、有機ＥＬ等の表示デバイスを含み、テキスト、静止画、動画等の情報を表示画面上に表示する表示インタフェースを構成している。
【００２５】
操作部１０５は、各種制御キー、テンキー等、ユーザが指示やデータを入力するための入力インタフェースを構成している。
【００２６】
メモリ１０６は、各種プログラムを格納するメモリ領域と、データを格納するメモリ領域とを備え、ＲＡＭ、ＲＯＭ、フラッシュメモリ等により構成される。
【００２７】
カメラ部１０７は、被写体の静止画像や動画像を撮影するための撮像素子（ＣＣＤ:Charge Coupled Device）等を有する撮影機能部である。
【００２８】
スピーカ１０８は、通話、着信音、楽曲等を音として出力するデバイスである。通話用の音声再生用のイヤレシーバは別に設けられてもよい。
【００２９】
マイク１０９は、主として通話のための音声をピックアップするデバイスである。
【００３０】
ＧＰＳ制御部１１０は、ＧＰＳアンテナ１１１を介して、複数の衛星からの信号を受信し、受信信号の時間差に基づいて携帯端末の現在の位置（緯度及び経度）を検出する手段である。
【００３１】
ＴＶ出力処理部１１３は、装置内で再生される静止画像や動画像を映像信号に変換して外部出力１１４として外部出力端子１１５に出力する機能を有する。具体的には、メモリ１０６に記憶されているデジタルビデオデータをＮＴＳＣ／ＰＡＬ等のテレビジョン信号にエンコードし、外部出力端子１１５よりそのテレビジョン信号（映像信号）を出力する。本実施の形態におけるこの映像信号は、前述したように、コンポジット映像信号である。
【００３２】
本実施の形態におけるＴＶ出力処理部１１３は、また、テレビ装置に表示する画像（以下、出力画像という）サイズを変更する機能を有する。すなわち、制御部１０１がＴＶ出力処理部１１３の設定を変更することにより、外部出力端子１１５から出力される映像信号の出力画像サイズを変更することが可能である。
【００３３】
図３に示すように、テレビ装置２００に画像をフルスクリーン表示する場合、外部出力端子１１５から出力される出力画像３０１の最大サイズは、ＳＤテレビ装置の場合、７２０×４８０（ＮＴＳＣ）／７２０×５７５（ＰＡＬ）である。
【００３４】
しかし、実際のＳＤＴＶの画面には、出力画像３０１の全画像領域が表示されるわけではなく、出力画像中の実際に画面３０２に表示される領域（有効表示領域）３０３は、各メーカの製品毎に異なっている。
【００３５】
図４に示すように、制御部（図１の１０１）がＴＶ出力処理部（図１の１１３）に縮小率を設定することにより、外部出力端子１１５（図２）から出力される出力画像サイズが変更される。図４（ａ）は縮小なし（縮小率１．０）の場合の表示画面４０１の周辺において映像が欠けている表示例を示している。これに対して、図４（ｂ）は水平方向、垂直方向ともに縮小率０．９の場合の表示画面４０２の表示例を示している。この例では、画像の周囲に空白部４０５が生じている。これは縮小の度合い（縮小率）が大きすぎたことを意味している。
【００３６】
なお、垂直、水平方向ともに同縮小率とすることにより、画面に表示される画像のアスペクト比が保たれる。但し、垂直方向、水平方向で別個に縮小率を設定し、出力画像サイズを変更することも可能である。
【００３７】
上記の縮小機能により、本来、出力画像全体中の有効表示領域３０３の外側の部分を有効表示領域内に収めることが可能となる。
【００３８】
図４で説明した機能を利用して、携帯端末から外部出力端子１１５（図２）する出力画像サイズを、各テレビ装置の有効表示領域に最適化することができる。具体的には、図５に示すように、映像の外縁が分かるように、特定色の長方形の枠（色枠）５０５で縁取りされた判断用画像としての基準画像５０３を出力画像として、初期状態では、何らの縮小もせず出力する。
【００３９】
色枠の位置は有効な画像領域の最も外側の周縁とし、色枠の幅は典型的には数ドット（数ライン）程度とする。但し、認識可能な限り、枠幅は１ドット（１ライン）であってもよい。色枠の幅があまり狭すぎると視認性が低下する反面、枠の幅が広すぎると一部が欠落してもなお認識されるという弊害が生じるので、枠の幅はこの観点から適正な幅とする。また、色枠は全体が連続している必要は必ずしもなく、破線や点線状であってもよい。あるいは、極端な場合、長方形の４頂点を含む点状の画像であってもよい。
【００４０】
色枠の表示後、当該テレビ画面に、上下左右の色枠が全て表示されているか否かをチェックする。画面５０１のように、色枠が表示されていない場合には、出力画像の周囲部分が欠けている証拠なので、出力画像を縮小する。これによって、画面５０２に示すように、当該テレビ画面の有効表示領域に、出力画像の全体を収めることができる。
【００４１】
このような出力画像の調整はユーザが手動で行うこともできるし、携帯端末１００で自動的に処理することも可能である。
【００４２】
手動の場合には、ユーザが出力画像のサイズ調整機能を起動すると、例えば、基準画像が出力されると共に、携帯端末の表示部に縮小率の設定を促すようなメニューが表示され、ユーザが手動で出力画像サイズを当該テレビ装置に最適な大きさに調整する。
【００４３】
自動の場合には、カメラ部１０７（図１）を使用することにより上記のような調整を自動で行うことができる。
【００４４】
すなわち、ユーザが出力画像のサイズ調整機能を起動すると、基準画像が出力されると共に、携帯端末１００のカメラ機能が起動する。基準画像をテレビ装置に出力し、そのＴＶ表示画面を携帯端末が有するカメラ部１０７によりビューファインダー（ｖｉｅｗ  ｆｉｎｄｅｒ）モードで撮影する。この際、ユーザはテレビ装置の画面の全体がビューファインダーの中に収まるように端末の位置を調整する。
【００４５】
撮影された映像の中に色枠の色に対応する特定色の枠が検出されたか否かを一般的な画像認識を施すことによりチェックすることにより、基準画像の全体が画面の有効表示領域に収まっているか否かを判断する。具体的には、当該特定色の画素群を検出し、それらが所定幅の直線からなる枠を構成しているか否かをチェックする。
【００４６】
基準画像全体が画面に表示されていない場合には、ＴＶ出力処理部により出力画像の縮小率を単位量毎に逐次低減していき、基準画像全体が画面に表示されたことが検出された時点で縮小を停止する。このときの縮小率をメモリ１０６に保存する。このように縮小率を単位量毎に逐次低減していくことにより、図４（ｂ）に示したように過度の縮小により空白部４０５が生じることがなく、テレビ装置の有効表示領域を最大限に利用することが可能となる。
【００４７】
なお、図６に示すように、色枠画像である基準画像５０３を制御部が認識し易くするために、カメラでテレビ画面を取り込む際にカメラの位置決めを援助する撮影ガイド６０２を表示部に表示させるようにしてもよい。この撮影ガイド６０２は基準映像データとしてメモリ内に予め保存しておき、映像信号の表示時に、映像に重畳して表示する。ユーザは、この撮影ガイド６０２の内側にテレビ画面の全体がほぼ一杯に包含されるように、携帯端末１００（すなわちカメラ部）の向きやテレビ装置２００への近づき具合を調整する。この状態で基準画像の色枠がテレビ画面に現れたときには、色枠がガイド６０２の内側に丁度合致するように表示されることになる。これにより、携帯端末による基準画像の認識処理が迅速かつ容易となる。
【００４８】
図７に、本実施の形態におけるカメラを用いた、出力画像の適正な縮小率の自動調整処理の具体的な手順例を表したフローチャートを示す。
【００４９】
この処理は、ユーザによる操作部１０５に対する指示により、起動される（Ｓ６０１）。この起動により、携帯端末は所定の基準画像（色枠画像等）をテレビ装置に出力する（Ｓ６０２）。併せて、カメラ部の撮影機能（ビューファインダー機能）を起動する（Ｓ６０３）。このとき、ユーザはカメラ部のレンズをテレビ装置の表示画面に向けてその画面全体が撮影されるように構える。
【００５０】
そこで、制御部は、カメラスルー状態で得られたＴＶ表示画像を１フレーム取り込む（Ｓ６０４）。この１フレームに対して、撮影ガイド内の領域の取得画像をチェックし、基準画像が認識されるか否か、すなわち、上記特定色の枠の全体が認識されるか否かを判定する（Ｓ６０５、Ｓ６０６）。判定結果がＯＫでなければ、出力画像全体が有効表示領域に収まらないと判断し、所定の単位量（例えば縮小率を上下１ライン単位、左右１ピクセル単位の相当分）だけ縮小率の数値を小さくし（Ｓ６０８）、ステップＳ６０４に戻る。単位量を細かく設定することにより、テレビ装置の有効表示領域を最大限に使用することができる。
【００５１】
ステップＳ６０６で判定結果がＯＫとなったら、出力画像全体はテレビ装置の有効表示領域に収まると判断し、そのときの縮小率をメモリ内の所定の領域に保存して（Ｓ６０７）、この処理を終了する。
【００５２】
なお、ステップＳ６０７において、ＧＰＳ制御部１１０により現在位置（緯度・経度）を検出し、この位置情報を縮小率とともに保存するようにしてもよい。図８は、そのような位置情報とともに設定値（縮小率）を保存したデータテーブル８０１の構成例を示している。このデータテーブル８０１はメモリ１０６内に記憶される。同じ携帯端末１００からの出力画像であっても、出力先のテレビ装置によって適正な縮小率は異なりうる。そこで、出力先のテレビ装置毎に縮小率を個別に保存しておき、テレビ装置対応に適正な縮小率を選択できるようにする。個々のテレビ装置を識別するための一手法として、本実施の形態では、テレビ装置の設置位置を用いる。テレビ装置の近傍で携帯端末を操作している場合には、携帯端末の位置をテレビ装置の位置とみなすことができる。したがって、このようなデータテーブル８０１を設けることにより、位置情報を検索キーとして、テレビ装置に対応した、メモリ内の縮小率を検索することが可能となる。これにより、一旦、縮小率を設定したテレビ装置については、次回からは、新たな縮小率の調整設定処理は不要となる。
【００５３】
図９は、携帯端末１００において、データテーブル８０１を用いて縮小率を設定する処理の具体的な手順例を表したフローチャートである。
【００５４】
制御部は、ユーザの操作により、映像信号を外部へ出力するＴＶ出力機能がＯＮされると（Ｓ９０１）、ＧＰＳを起動する（Ｓ９０２）。ＧＰＳ制御部の動作により携帯端末の現在位置を取得する（Ｓ９０３）。この現在位置の位置情報に基づいて、データテーブル８０１を参照し、該当する縮小率を検索する（Ｓ９０４）。該当する縮小率が発見されれば（Ｓ９０５，Ｙｅｓ）、その縮小率を読み出して（Ｓ９０６）、これを当該テレビ装置に対する画像出力ための縮小率としてＴＶ出力処理部１１３（図２）に設定する（Ｓ９０７）。該当する縮小率が発見されなければ、縮小率は初期状態の１．０として設定する。
【００５５】
なお、縮小率が発見されなかった場合、図７に示した調整機能の起動をユーザに促したり、自動的に調整機能を起動したりすることも可能である。
にその縮小率を設定する（Ｓ９０７）。
【００５６】
以上、本発明の好適な実施の形態について説明したが、上記で言及した以外にも種々の変形、変更を行うことが可能である。
【００５７】
例えば、図８に示したデータテーブルの内容は携帯端末が位置情報に基づいて読み出す構成としたが、データテーブルへの縮小率の登録時に、緯度・経度情報に代えて、テレビ装置の識別情報（設置場所、メーカー名等の任意の情報）をユーザに入力させ、縮小率とともにデータテーブルに登録し、縮小率の利用時にはデータテーブルの内容を表示部に表示して、ユーザに該当する縮小率を選択させるようにしてもよい。
【００５８】
携帯端末の一例として携帯電話端末について説明したが、本発明はこれに限るものではなく、携帯情報端末（ＰＤＡ）やゲーム機等、映像信号を外部へ出力する機能を有する任意の端末装置に適用可能である。
【図面の簡単な説明】
【００５９】
【図１】本発明の実施の形態において携帯端末からテレビ装置への映像信号の出力の様子を示す図である。
【図２】図１内に示した携帯端末のハードウェア構成例を示すブロック図である。
【図３】テレビ装置に画像をフルスクリーン表示する場合の出力画像の最大サイズの説明図である。
【図４】本発明の実施の形態において制御部がＴＶ出力処理部に縮小率を設定することにより、外部出力端子から出力される出力画像サイズが変更される様子の説明図である。
【図５】本発明の実施の形態における、特定色の色枠で縁取りされた基準画像の利用の方法を示す図である。
【図６】本発明の実施の形態においてカメラでテレビ画面を取り込む際に表示部に表示される撮影ガイドの説明図である。
【図７】本発明の実施の形態における、カメラを用いた、出力画像の適正な縮小率の自動調整処理の具体的な手順例を表したフローチャートである。
【図８】本発明の実施の形態における、位置情報とともに設定値（縮小率）を保存したデータテーブルの構成例を示す図である。
【図９】図８のデータテーブルを用いて縮小率を設定する処理の具体的な手順例を表したフローチャートである。
【符号の説明】
【００６０】
１００…携帯端末装置、１０１…制御部、１０２…通信部、１０３…アンテナ、１０４…表示部、１０５…操作部、１０６…メモリ、１０７…カメラ部、１０８…スピーカ、１０９…マイク、１１０…制御部、１１１…アンテナ、１１３…ＴＶ出力処理部、１１４…外部出力、１１５…外部出力端子、１２０…データライン、１２０…制御ライン、１５０…ケーブル、２００…テレビ装置、３０１…出力画像、３０２…画面、３０３…有効表示領域、４０１…表示画面、４０２…表示画面、４０５…空白部、５０１…画面、５０２…画面、５０３…基準画像、６０２…撮影ガイド、８０１…データテーブル、８０２…衛星
【図１】
2007282002.tif 000003
【図２】
2007282002.tif 000004
【図５】
2007282002.tif 000005
【図６】
2007282002.tif 000006
【図７】
2007282002.tif 000007
【図８】
2007282002.tif 000008
【図９】
2007282002.tif 000009
【図３】
2007282002.tif 000010
【図４】
2007282002.tif 000011